(57)【特許請求の範囲】
【請求項１】
メール機能を有し、タッチパネル及び少なくとも第１及び第２の方向に操作可能な２方向キーの何れかのユーザ操作によりメール機能が操作される小型情報処理装置において、
メール機能を起動するメール起動手段と、
このメール起動手段によりメールが起動された際に、タッチパネルのタッチ検出を有効にするタッチ検出有効手段と、
このタッチ検出有効手段によりタッチパネルのタッチ検出が有効にされた状態で、前記タッチパネルが所定時間以上タッチ検出されておらず、かつ、前記２方向スイッチの操作が検出された場合に、前記タッチパネルのタッチ検出を停止するタッチ検出停止手段と、
を具備したことを特徴とする小型情報処理装置。
【請求項２】
請求項１に記載の小型情報処理装置において、
前記情報処理装置は、さらに音楽機能と遠隔的な入力操作が可能な遠隔操作手段を有し、前記タッチパネル及び当該遠隔操作手段の何れかのユーザ操作により音楽機能が操作され、
さらに、
音楽機能を起動する音楽起動手段と、
前記タッチ検出有効手段によりタッチパネルのタッチ検出が有効にされた状態で、当該音楽起動手段により音楽が起動された際に、前記タッチパネル上に音楽機能アイコンを表示してタッチパネルによる音楽機能の操作を有効にするタッチ音楽操作有効手段と、
を具備したことを特徴とする小型情報処理装置。
【請求項３】
メール機能を有し、タッチパネル及び少なくとも第１及び第２の方向に操作可能な２方向キーの何れかのユーザ操作により音楽再生機能が実行される情報処理装置において、前記コンピュータを、
メール機能を起動するメール起動手段、
このメール起動手段によりメールが起動された際に、タッチパネルのタッチ検出を有効にするタッチ検出有効手段、
このタッチ検出有効手段によりタッチパネルのタッチ検出が有効にされた状態で、前記タッチパネルが所定時間以上タッチ検出されておらず、かつ、前記２方向スイッチの操作が検出された場合に、前記タッチパネルのタッチ検出を停止するタッチ検出停止手段、
として機能させる入力操作制御プログラムを記憶したコンピュータ読取り可能な記憶媒体。
【発明の詳細な説明】
【０００１】
【発明の属する技術分野】
本発明は、例えばＰＤＡ（Personal Digital Assistant）等の携帯端末装置として用いられる情報処理装置及び入力操作制御プログラムを記憶した記憶媒体に関する。
【０００２】
【従来の技術】
ＰＤＡ等の携帯端末装置では、キーボードを備えるとボディサイズが大きくなることから、入力デバイスとしてタッチパネルを使用することが多い。タッチパネルは、ディスプレイ上に感圧式または静電式のパネルを載せ、ペンや指先が触れた位置を検出し、その位置情報をコンピュータに送るものであり、誰でも簡単に操作できることや、キーボードのような設置場所を特に必要としないなどの利点がある。
【０００３】
また、携帯端末装置には、前記タッチパネルとは別に、例えば上下＆プッシュキーなどの操作キーが側面に設けられているものがあり、この操作キーの操作により、携帯端末装置を片手で保持しながら表示画面のスクロールや各種機能の選択・表示を行うことができる。
【０００４】
さらに、この種の携帯端末装置では、ヘッドホンと一体型のリモコンキーを備えているものがあり、このリモコンキーの操作により、例えば装置内に記憶された音楽情報を再生するなどの機能を備えたものもある。
【０００５】
このように、携帯端末装置に用いられる入力デバイスとしては、タッチパネル、上下＆プッシュキー、さらにリモコンキーといったものがあり、これらを状況に応じて適宜使い分けて入力操作を行うことができるようになっている。
【０００６】
【発明が解決しようとする課題】
前述したような携帯端末装置では、ユーザが片手又は両手で操作するため、前記３つの入力デバイスを同時に使うことはない。通常、タッチパネルと上下＆プッシュキーを同時に使うことはなく、どちらか一方を使用しての入力操作が主となり、例えば電車の中など、周りに多数の人がいる場所ではペン入力が困難であったり、ペンの操作が他人に迷惑をかけるなどの理由でタッチパネルでなく、上下＆プッシュキーを用いて入力操作することが多い。
【０００７】
しかしながら、従来の携帯端末装置では、ユーザが操作キーを使用して入力操作を行っているときであっても、タッチパネルは常にＯＮ状態にあった。このため、タッチパネル用の電力が無駄に消費され、携帯時の駆動源となるバッテリの消耗が激しいといった問題があった。また、タッチパネルが常にＯＮ状態にあると、例えば電車の中などで他人に押されるなどして画面を触れたときに誤動作するなどの問題もあった。
【０００８】
一方、タッチパネル上でペン入力操作を行っている状態では、片方の手で装置を支えているため、リモコンキーを操作するときにリモコンキーとペンを持ち替える必要があり、音楽の再生操作を直ぐに行えないなどの不具合があった。
【０００９】
本発明は前記のような課題を解決するためになされたもので、複数の入力デバイスを備えている場合に、これらの入力デバイスの操作状況に応じて最適な入力環境を自動設定して無駄な電力消費を抑えると共に入力操作の向上を図るようにした小型情報処理装置及び入力操作制御プログラムを記憶した記憶媒体を提供することを目的とする。
【００１０】
【課題を解決するための手段】
上記課題を解決するために、
請求項１に記載の小型情報処理装置は、
メール機能を有し、タッチパネル及び少なくとも第１及び第２の方向に操作可能な２方向キーの何れかのユーザ操作によりメール機能が操作される小型情報処理装置において、
メール機能を起動するメール起動手段と、
このメール起動手段によりメールが起動された際に、タッチパネルのタッチ検出を有効にするタッチ検出有効手段と、
このタッチ検出有効手段によりタッチパネルのタッチ検出が有効にされた状態で、前記タッチパネルが所定時間以上タッチ検出されておらず、かつ、前記２方向スイッチの操作が検出された場合に、前記タッチパネルのタッチ検出を停止するタッチ検出停止手段と、
を具備したことを特徴とする。
【００１２】
また、請求項２に記載の小型情報処理装置は、請求項１に記載の小型情報処理装置において、
前記情報処理装置は、さらに音楽機能と遠隔的な入力操作が可能な遠隔操作手段を有し、前記タッチパネル及び当該遠隔操作手段の何れかのユーザ操作により音楽機能が操作され、
さらに、
音楽機能を起動する音楽起動手段と、
前記タッチ検出有効手段によりタッチパネルのタッチ検出が有効にされた状態で、当該音楽起動手段により音楽が起動された際に、前記タッチパネル上に音楽機能アイコンを表示してタッチパネルによる音楽機能の操作を有効にするタッチ音楽操作有効手段と、
を具備したことを特徴とする。
【００１７】
【発明の実施の形態】
以下、図面を参照して本発明の一実施形態を説明する。
【００１８】
図１は本発明の一実施形態に係る情報処理装置の外観構成を示す図である。
【００１９】
この情報処理装置は、ユーザが片手で持ち運びできる程度の小型、軽量の装置本体１０を有する。この装置本体１０の表面には、ＬＣＤ（Liquid Crystal Display）からなる表示部１１とその表示部１１の画面上に配設された透明のタッチパネル１２が設けられており、ペン１２ａなどで表示画面を触れることで入力操作を行える構成になっている。なお、装置本体１０の先端部には図示せぬペン収納部が設けられており、ペン１２ａを使用しない場合にこのペン収納部に収納しておくことができる。
【００２０】
また、装置本体１０の表面には、カーソルの上下左右方向の移動を指示するためのカーソルキー１３、機能Ａ〜Ｃを選択するための機能選択キー１４、ペン入力固定モードを指示するためのペン入力固定キー（以下、ＰＥＮ−ＯＮキーと称す）１５が設けられている。なお、ここでは機能Ａはメール機能であり、機能選択キー１４の中の「Ａ」キーを押下することで起動される。機能Ｂは音楽機能であり、機能選択キー１４の中の「Ｂ」キーを押下することで起動される。機能Ｃはその他の機能であり、機能選択キー１４の中の「Ｃ」キーを押下することで起動される。
【００２１】
また、装置本体１０の側面には、上下＆プッシュキー１６が設けられている。この上下＆プッシュキー１６は、“アクションコントロール”と呼ばれるもので、第１及び第２の方向への操作が可能なキーである。第１の方向とは装置本体１０の側面に沿って上下の方向（矢印ａ及び矢印ｂの方向）であり、第２の方向とは装置本体１０に向かった方向（矢印ｃ方向）である。前記第１の方向の操作を行うと（つまり、上下＆プッシュキー１６を装置本体１０の側面に沿って回転させると）、表示部１１の画面上に表示された情報の表示位置が移動（スクロール）する。前記第２の方向の操作を行うと（つまり、上下＆プッシュキー１６を装置本体１０に向かって押下すると）、表示部１１の画面上に表示された情報が選択されると共に新たな情報の表示が行われる。
【００２２】
このような構成の上下＆プッシュキー１６を含め、前記カーソルキー１３、機能選択キー１４、ＰＥＮ−ＯＮキー１５といった各種操作キーは、ユーザが装置本体１０を持ちながら容易に操作できるように、これらの配置等が工夫されている。
【００２３】
また、本装置では、前記各種操作キーとは別に、装置本体１０の外部から遠隔的な入力操作を可能とするリモコンキー２０を備えている。このリモコンキー２０は、ここでは装置本体１０内に記憶された音楽情報を再生する場合に用いられ、再生あるいは停止を指示するための再生／停止キー２０ａ、早送りを指示するための早送りキー２０ｂ、早戻しを指示するための早戻しキー２０ｃを備えている。また、このリモコンキー２０の一端に取り付けられたコード２１の先端には装置本体１０に着脱自在に装着可能な図示せぬコネクタが設けられ、他端に取り付けられたコード２２の先端にはヘッドホンスピーカ２３が設けられている。
【００２４】
このような構成のリモコンキー２０を装置本体１０に装着し、ヘッドホンスピーカ２３を耳に当てた状態で、リモコンキー２０を操作すれば、装置本体１０を携帯しながら音楽を聴くことができる。
【００２５】
図２は本装置の表示画面を示す図であり、図２（ａ）はペン入力操作中の表示画面、同図（ｂ）はキー入力操作中の表示画面、同図（ｃ）はリモコンキーを使用せずに、ペン入力操作により音楽を再生する場合での表示画面を示す図である。
【００２６】
例えば、図示せぬメニュー画面上でペン１２ａの操作によりメール機能のアイコンを選択するか、あるいは、機能選択キー１４の「Ａ」キーを押下するなどしてメール機能を起動すると、画面上にメール機能に関する情報が表示される。図２の例は受信メール一覧を表示したもので、図中の３１は受信メール一覧画面、３２はその受信メール一覧画面３１を上下にスクロールするスクロールバー、３３は受信メール一覧画面３１の中で指定された行の詳細画面（メール内容）、３４はその詳細画面３３を上下にスクロールするスクロールバー、３５はメール作成を指示するためのメール作成ボタンである。
【００２７】
また、この表示画面の下部には、アプリケーションを起動するためのスタートボタン３６や入力モードなどを切り換えるための入力モードボタン３７が設けられている。
【００２８】
ここで、本装置では、例えばメール等のアプリケーションの実行中に、上下＆プッシュキー１６を用いた入力操作のみが行われ、ペン１２ａを用いた入力操作が行われなかった場合にペンタッチ検知機能をＯＦＦするように構成されている。ペンタッチ検知機能がＯＮの状態では、タッチパネル１２上でペン１２ａを用いて画面のスクロールや項目の選択などを行うことができる。これに対し、ペンタッチ検知機能がＯＦＦの状態では、このようなペン１２ａによる入力操作を行うことはできない。
【００２９】
また、ペンタッチ検知機能がＯＮのとき、図２（ａ）に示すように、画面上の各部分は通常通り表示されるが、ペンタッチ検知機能がＯＦＦのときには、同図（ｂ）に示すように、例えばスクロールバー３２及び３４、メール作成ボタン３５、スタートボタン３６、入力モードボタン３７といったペン入力操作部分が特定の表示形態にて表示され、ペン入力操作を行うことができないことが示される。前記特定の表示形態とは、例えば薄く表示（グレー表示）したり、表示色を変えたり、点滅表示などである。
【００３０】
なお、ペンタッチ検知機能がＯＦＦされている状態で、図１に示すＰＥＮ−ＯＮキー１５を押下するか、あるいは、タッチパネル１２上を一定時間タッチすれば、ペンタッチ検知機能がＯＮ状態に戻るようになっている。
【００３１】
また、同図（ｃ）に示すように、ペン入力操作中に音楽機能を起動すると、画面上の所定の位置にリモコンキー２０に対応した音楽再生用ボタン３８が表示される。この音楽再生用ボタン３８はペンタッチにて音楽の再生操作を可能とするもので、再生あるいは停止を指示するための再生／停止アイコン３８ａ、早送りを指示するための早送りアイコン３８ｂ、早戻しを指示するための早戻しアイコン３８ｃからなる。このような音楽再生用ボタン３８をペン１２ａにてタッチすることで、リモコンキー２０と同様の操作指示を行うことができる。
【００３２】
図３は本発明の情報処理装置の回路構成を示すブロック図である。本装置は、例えばノート型パソコンやＰＤＡ等の端末機器からなり、例えば住所録、カレンダ、スケジュールなどを管理するＰＩＭ（Personal Information Manager）機能の他、ここではメール機能、音楽再生機能などを備えている。
【００３３】
図３に示すように、本装置にはＣＰＵ４１が設けられている。このＣＰＵ４１は本装置全体の制御を司るものであり、メモリ４２に予め記憶されたプログラムまたは記憶媒体読取部４５を介して記憶媒体４６に記憶されたプログラムを読み込むことで各種の処理を実行する。
【００３４】
メモリ４２は、例えばＲＯＭやＲＡＭなどからなり、プログラムを含む本装置の処理動作に必要な各種情報を記憶する。本実施形態において、このメモリ４２には、メールプログラム、音楽再生プログラム、入力処理プログラム、機能設定処理プログラムといった各種プログラム情報を記憶するためのプログラム領域４３ａ〜４３ｄと、メールプログラム実行中フラグ、音楽再生プログラム実行中フラグ、上下＆プッシュキー使用中フラグ、リモコン使用中フラグ、ペン使用中フラグ、ペンＯＮ固定フラグ、ペンタッチ検出ＯＮフラグといった各種フラグ情報を記憶するためのフラグ領域４４ａ〜４４ｇが設けられている。
【００３５】
前記各種プログラム情報の中で、メールプログラムは本装置のメール機能を実現するためのプログラム、音楽再生プログラムは本装置の音楽再生機能を実現するためのプログラムであり、これらはアプリケーションプログラムとして提供されたものである。入力処理プログラムは本装置の入力処理（図４）を実現するためのプログラム、機能設定処理プログラムは本装置の機能設定処理（図５）を実現するためのプログラムであり、これらはＯＳ（Operating System）として提供されたものである。
【００３６】
また、前記各種フラグ情報の中で、メールプログラム実行中フラグはメールプログラムが実行中であるときにセットされ、音楽再生プログラム実行中フラグは音楽再生プログラムが実行中であるときにセットされる。上下＆プッシュキー使用中フラグは上下＆プッシュキー１６を用いた入力操作が行われたときにセットされ、リモコン使用中フラグはリモコンキー２０を用いた入力操作が行われたときにセットされ、ペン使用中フラグはペン１２ａ（タッチパネル１２）を用いた入力操作が行われたときにセットされる。ペンＯＮ固定フラグはＰＥＮ−ＯＮキー１５が操作されたときにセットされる。ペンタッチ検出ＯＮフラグはペン入力検知機能（タッチパネル機能）がＯＮ状態にあるときにセットされる。
【００３７】
記憶媒体４６および記憶媒体読取部４５は、例えばＳＤメモリカードやマルチメディアカードなどのメディアとその読み取り装置である。この記憶媒体４６に本発明を実現するためのプログラムを記憶しておき、記憶媒体読取部４５を介して提供することができる。なお、プログラムの提供方法としては、前記記憶媒体４６に限らず、例えば外部端末からネットワークＮを介して提供することでも良い。また、本装置で扱われる音楽情報についても、前記記憶媒体４６または前記ネットワークＮを通じて提供されるものとする。
【００３８】
さらに、本装置には、表示部１１、タッチパネル１２、上下＆プッシュキー１６などの操作キー、リモコン接続部４７、外部出力部４８、電送制御部４９、タイマー５０などが設けられており、これらは前記メモリ４２、前記記憶媒体読取部４５と共にシステムバスを介してＣＰＵ４１に接続される。
【００３９】
表示部１１は、例えばカラー液晶表示装置からなり、各種データを表示する。タッチパネル１２は、例えば感圧式または静電式の透明パネルからなり、表示部１１の画面上に載置されてタッチ位置を検出し、その位置情報をＣＰＵ４１に出力する。リモコン接続部４７は、リモコンキー２０との電気的接続を行うものであり、リモコンキー２０の操作による各種指示情報を入力してＣＰＵ４１に与える。外部出力部４８は、リモコンキー２０の操作に伴い音楽情報をヘッドホンスピーカ２３に再生出力する。電送制御部４９は、ネットワークＮを介して他の情報機器との通信制御を行うものであり、例えばメールの送受信はこの電送制御部４９を介して行われる。
【００４０】
タイマー５０は、時間を計時するものであり、ここではペン入力がない状態が所定時間続いたか否かを判断するために用いられる。
【００４１】
なお、特に図示しないが、本装置は携帯時の駆動源として電池（二次電池）を備えており、この電池による電源電圧を各部に必要な電圧レベルに変換して供給している。
【００４２】
次に、本装置の動作について説明する。
【００４３】
ここでは、本装置のメール機能と音楽機能を使う場合を想定し、（ａ）入力処理、（ｂ）機能設定処理、（ｃ）メールプログラム処理、（ｄ）音楽再生プログラム処理に分けて、それぞれの処理動作について図４乃至図７に示すフローチャートを参照しながら説明する。
【００４４】
（ａ）入力処理
まず、本装置の入力処理について説明する。
【００４５】
図４は本装置の入力処理の動作を示すフローチャートである。なお、ここで示される入力処理はＣＰＵ４１がメモリ４２のプログラム領域４３ｃに記憶された入力処理プログラムを読み込むことで実行される。
【００４６】
この入力処理では、まず、操作キーによる入力操作があったか否かが判断される（ステップＡ１１）。ここでの操作キーとは、タッチパネル１２以外に装置本体１０に設けられた入力デバイスのことであり、カーソルキー１３、機能選択キー１４、ＰＥＮ−ＯＮキー１５、上下＆プッシュキー１６などである。
【００４７】
機能選択キー１４の「Ａ」キーが操作された場合には（ステップＡ１２のＹｅｓ）、メモリ４２のプログラム領域４３ａに記憶されたメールプログラムが起動されると共に、その旨を示すメールプログラム実行中フラグがメモリ４２のフラグ領域４４ａにセットされる（ステップＡ１３）。
【００４８】
このとき、本装置に備えられたタイマー５０が起動され（ステップＡ１４）、そのタイマー５０の起動に伴いペンタッチ検出機能がＯＮ状態に設定される（ステップＡ１５）。タイマー５０はペン入力操作の有無を検知するタイミングを計るためのもので、ここでは１８０秒以上、ペンタッチ（ペン入力操作）がないことを検知するように設計されている。また、ペンタッチ検出機能がＯＮ状態に設定されると、その旨を示すペンタッチ検出ＯＮフラグがメモリ４２のフラグ領域４４ｇにセットされる。
【００４９】
機能選択キー１４の「Ｂ」キーが操作された場合には（ステップＡ１６のＹｅｓ）、メモリ４２のプログラム領域４３ｂに記憶された音楽再生プログラムが起動されると共に、その実行中フラグがメモリ４２のフラグ領域４４ｂにセットされる（ステップＡ１７）。そして、ステップＡ１４へ進み、タイマーがスタートされると共に、ペンタッチ検出機能がＯＮ状態に設定される（ステップＡ１５）。
【００５０】
ＰＥＮ−ＯＮキー１５が操作された場合には（ステップＡ１８のＹｅｓ）、ペンタッチ検出機能がＯＮ状態に設定されると共にメモリ４２のフラグ領域４４ｆにペンＯＮ固定フラグがセットされる（ステップＡ１９）。また、このときにタイマー５０が停止される（ステップＡ２０）。つまり、ＰＥＮ−ＯＮキー１５が操作された場合には、ペン入力操作の有無に関係なく、ペンタッチ検出機能がＯＮ状態に維持される。
【００５１】
また、その他のキー操作があれば（ステップＡ１８のＮｏ）、そのキー操作に対応した処理が実行されることになる。その他のキーとは、例えばカーソルキー１３や上下＆プッシュキー１６などである。
【００５２】
一方、装置本体１０に接続されたリモコンキー２０が操作された場合には（ステップＡ２１のＹｅｓ）、その旨を示すリモコン使用中フラグがメモリ４２のフラグ領域４４ｄにセットされる（ステップＡ２２）。
【００５３】
また、操作キーまたはリモコンキー２０でもない場合には（ステップＡ１１のＮｏ、ステップＡ２１のＮｏ）、ペン入力操作の有無を判断することになるが、その際にペンタッチ検出機能がＯＮ状態にあるか否かが判断される（ステップＡ２３）。ペンタッチ検出機能がＯＮ状態にない場合、つまり、ペンタッチ検出機能が禁止された状態にある場合には（ステップＡ２３のＹｅｓ）、ペン入力操作を行うことはできないので、ここでは処理対象外となる。また、ペンタッチ検出機能がＯＮ状態にあってもペン入力操作がなければ（ステップＡ２４のＮｏ）、同様に処理対象外となる。
【００５４】
なお、ペンタッチ検出機能がＯＮ状態にあるか否かは、メモリ４２のフラグ領域４４ｇのペンタッチ検出ＯＮフラグによって判断される。すなわち、ペンタッチ検出ＯＮフラグがセットされていれば（フラグ＝１）、ペンタッチ検出機能がＯＮ状態にあり、ペン入力操作があったときにタッチパネル１２によってタッチ位置が検知され、その位置情報がＣＰＵ４１に与えられる。一方、ペンタッチ検出ＯＮフラグがセットされていなければ（フラグ＝０）、ペンタッチ検出機能がＯＦＦ（禁止）されていることであり、ペン入力操作があっても、そのときのタッチ位置は検知されない。
【００５５】
ここで、前記ステップＡ２４において、ペン入力操作があったことが検知されると、そのときのタッチ位置がメールエリアであるか否かが判断される（ステップＡ２５）。メールエリアとは、画面上でメール機能に関する情報が表示されたエリアのことであり、具体的には図２（ａ）に示すように受信メールの一覧画面３１、スクロールバー３２などが表示された部分である。このメールエリアにペンタッチがあった場合（ステップＡ２５のＹｅｓ）、そのときのタッチ位置に対応した操作情報がメールプログラムに送られると共に（ステップＡ３１）、ペン入力操作があったことを示すペン使用中フラグがメモリ４２のフラグ領域４４ｅにセットされる（ステップＡ３２）。
【００５６】
タッチ位置がメールエリアでない場合には、音楽命令エリアであるか否かが判断される（ステップＡ２６）。音楽命令エリアとは、リモコンキー２０に代わってペン入力操作により音楽情報の再生操作を行うことを可能としたエリアであり、具体的には図２（ｃ）に示すように音楽再生用ボタン３８が表示された部分である。この音楽命令エリアにペンタッチがあった場合（ステップＡ２６のＹｅｓ）、そのときのタッチ位置に対応した操作情報が音楽再生プログラムに送られると共に（ステップＡ２７）、ペン入力操作があったことを示すペン使用中フラグがメモリ４２のフラグ領域４４ｅにセットされ、さらにフラグ領域４４ｄのリモコン使用中フラグがオフされる（ステップＡ２８）。
【００５７】
また、その他のエリアがペンタッチされた場合には（ステップＡ２６のＮｏ）、そのエリアに対応したコマンドの処理が実行され（ステップＡ２９）、前記同様にペン入力操作があったことを示すペン使用中フラグがメモリ４２のフラグ領域４４ｅにセットされる（ステップＡ３０）。前記他のエリアとは、例えば図２に示すスタートボタン３６や入力モードボタン３７などが表示された部分である。
【００５８】
（ｂ）機能設定処理
次に、本装置の機能設定処理について説明する。
【００５９】
図５（ａ）は本装置の機能設定処理の動作を示すフローチャートである。なお、ここで示される機能設定処理はＣＰＵ４１がメモリ４２のプログラム領域４３ｄに記憶された機能設定処理プログラムを読み込むことで実行される。
【００６０】
この機能設定処理では、まず、メールプログラム実行中であるか否かがメモリ４２のフラグ領域４４ａのメールプログラム実行中フラグに基づいて判断される（ステップＢ１１）。メールプログラム実行中であれば（ステップＢ１１のＹｅｓ）、そのときにペン固定モードが設定されているか、あるいは、ペンタッチ検出機能がＯＮされているか否かがそれぞれのフラグ情報に基づいて判断される（ステップＢ１２、Ｂ１３）。ここでは通常の状態を対象としているため、ペン固定モードが設定されている場合、あるいは、ペンタッチ検出機能がＯＦＦされている場合には何もしない。
【００６１】
ここで、ペンＯＮ固定モードがＯＦＦで、ペンタッチ検出機能がＯＮといった通常の状態にある場合において、ペン使用中であるか否かが検知される（ステップＢ１４）。
【００６２】
ペン使用中であった場合、つまり、タッチパネル１２上でペン１２ａを用いた入力操作が行われていることが検知された場合には（ステップＢ１４のＹｅｓ）、タイマー５０がリセットされると共に再起動される（ステップＢ１８）。
【００６３】
ペン使用中でなかった場合には（ステップＢ１４のＮｏ）、タイマー５０により所定の時間（ここでは１８０秒）が計時されたか否かが判断される（ステップＢ１５）。前記所定の時間が計時された場合、つまり、タイマー５０が起動されてから、ペン入力がない状態が１８０秒以上続いたときに（ステップＢ１５のＹｅｓ）、上下＆プッシュキー１６を用いた入力操作が行われているか否かが判断される（ステップＢ１６）。上下＆プッシュキー１６は上下操作により画面の上下スクロールを行い、押下操作により選択項目の確定を行うものであり、ペン入力操作とは別に存在するものである。この上下＆プッシュキー１６による入力操作も行われていなければ（ステップＢ１６のＮｏ）、ステップＢ１９へ進む。
【００６４】
また、この上下＆プッシュキー１６による入力操作が行われていた場合には（ステップＢ１６のＹｅｓ）、ペン使用中フラグがＯＦＦされると共に上下＆プッシュキー使用中フラグがＯＦＦされ、さらにペンタッチ検出機能がＯＦＦされて（ステップＢ１７）、ステップＢ１９へ進む。
【００６５】
前記ステップＢ１５において、タイマー５０が起動されてから、ペン入力がない状態が１８０秒以内であれば（ステップＢ１５のＮｏ）、ステップＢ１９へ進む。
【００６６】
一方、前記ステップＢ１１において、メールプログラム実行中でなかった場合には、音楽再生プログラム実行中であるか否かがメモリ４２のフラグ領域４４ｂの音楽再生プログラム実行中フラグに基づいて判断される（ステップＢ１９）。そして、音楽再生プログラム実行中であれば（ステップＢ１９のＹｅｓ）、そのときにリモコンキー２０が使用されているか否かが検知される（ステップＢ２０）。リモコンキー２０は装置本体１０内に記憶された音楽情報を再生するための専用操作キーであり、リモコン接続部４７に接続されたときに使用中であると検知され、リモコン接続部４７に接続されていないときには使用中でないと検知される。このリモコンキー２０が使用中にあると検知されたときは、リモコンキー２０による通常の音楽再生操作が行われる状態なので、何もせずにここでの処理を終える。
【００６７】
ここで、リモコンキー２０が使用中でないと検知された場合において、ペン使用中であるか否かが検知され、ペン使用中であれば（ステップＢ２１のＹｅｓ）、音楽命令エリアが画面上の所定の位置に設定され、そこにリモコンキー２０に対応した入力操作をペン入力操作（タッチ入力操作）で可能とする音楽再生用ボタン３８が表示される（ステップＢ２２）。
【００６８】
このように、音楽再生プログラムが実行されているときにユーザの入力操作がチェックされ、その際にペン入力操作が行われていた場合に音楽命令エリアが設定され、そこに音楽再生用ボタン３８が表示される。この状態を図２（ｃ）に示す。この例では、画面下部に音楽命令エリアが設定され、そこに音楽再生用ボタン３８が表示されている。この音楽再生用ボタン３８を構成する再生／停止アイコン３８ａ、早送りアイコン３８ｂ、早戻しアイコン３８ｃをペンタッチすれば、リモコンキー２０を使用せずとも同様の再生操作を行うことができる。
【００６９】
（ｃ）メールプログラム処理
次に、本装置のメールプログラム処理について説明する。
【００７０】
図６は本装置のメールプログラム処理の動作を示すフローチャートである。なお、ここで示されるメールプログラム処理はＣＰＵ４１がメモリ４２のプログラム領域４３ａに記憶されたメールプログラムを読み込むことで実行される。
【００７１】
このメールプログラム処理では、まず、ペンタッチ検出機能がＯＮされているか否がメモリ４２のフラグ領域４４ｇのペンタッチ検出ＯＮフラグに基づいて判断される（ステップＣ１１）。ペンタッチ検出機能がＯＮ状態であれば（ステップＣ１１のＹｅｓ）、そのときのメール画面が通常表示される（ステップＣ１２）。一方、ペンタッチ検出機能がＯＦＦされていれば（ステップＣ１１のＮｏ）、そのときのメール画面が特定表示される（ステップＣ１２）。前記通常表示の例を図２（ａ）、前記特定表示の例を図２（ｂ）に示す。ペンタッチ検出機能がＯＦＦされている場合には、図２（ｂ）に示すように、スクロールバー３２及び３４、メール作成ボタン３５、スタートボタン３６、入力モードボタン３７といったペン入力操作部分が例えば薄く表示されるなどして、そこでのペン入力操作が行えないことが示される。
【００７２】
ここで、ペンタッチ検出機能がＯＮ状態にあり、それに応じたメール画面が表示されている場合において（ステップＣ１１→Ｃ１２）、ＯＳからペン入力による操作情報があると（ステップＣ１４のＹｅｓ）、そのときの入力操作に応じた処理が実行される。
【００７３】
すなわち、例えばメール画面上のスクロールバーの両端に設けられた三角ボタンが操作された場合には（ステップＣ２１のＹｅｓ）、表示画面を上下にスクロールしたり、また、指定行を上下に移動するなどのスクロール処理が行われる（ステップＣ１７）。
【００７４】
また、メール画面上の行データがペンタッチにより指定された場合には（ステップＣ２２のＹｅｓ）、その指定行に詳細データがあれば（ステップＣ１９のＹｅｓ）、その指定行の詳細データが表示される（ステップＣ２０）。これは、例えば図２（ａ）に示す受信メール一覧画面３１の中の「メールニュース」といった行項目が指定されたことにより、そのメール内容を示す詳細画面３３が表示されることである。
【００７５】
また、メール画面上のドラッガーがペン１２ａにてドラッグ操作された場合には（ステップＣ２３のＹｅｓ）。そのときのドラッグ量に応じた画面が上下にスクロールされる（ステップＣ２４）。
【００７６】
また、メール画面上のメール作成用のアイコン（図２のメール作成ボタン）がペンタッチされた場合には（ステップＣ２５のＹｅｓ）、メール作成画面を表示するなどのメール作成処理が行われる（ステップＣ２６）。
【００７７】
一方、ＯＳからペン入力による操作情報がなかった場合（ステップＣ１４のＮｏ）、あるいは、ペンタッチ検出機能がＯＦＦされ、それに応じたメール画面が表示されている場合には（ステップＣ１１→Ｃ１３）、上下＆プッシュキー１６による入力操作があった場合に（ステップＣ１５のＹｅｓ）、そのときの入力操作に応じた処理が実行される。
【００７８】
すなわち、上下＆プッシュキー１６の上下操作があった場合には（ステップＣ１６のＹｅｓ）、スクロールバーの操作の同様に表示画面を上下にスクロールしたり、また、指定行を上下に移動するなどのスクロール処理が行われる（ステップＣ１７）。また、上下＆プッシュキー１６の押下操作（プッシュ操作）があった場合には（ステップＣ１８のＹｅｓ）、行データのペンタッチ操作と同様にその指定行に詳細データがあれば（ステップＣ１９のＹｅｓ）、その指定行の詳細データが表示される（ステップＣ２０）。このように、上下＆プッシュキー１６の上下操作では画面のスクロールが行われ、押下操作は選択項目の確定とそれに伴う新たな情報表示が行われる。図２（ｂ）では、このような上下＆プッシュキー１６の操作によって、受信メール一覧画面３１の中の「メールニュース」といった行項目が指定され、そのメール内容を示す詳細画面３３が表示された状態を示している。
【００７９】
（ｄ）音楽再生プログラム処理
次に、本装置の音楽再生プログラム処理について説明する。
【００８０】
図７は本装置の音楽再生プログラム処理の動作を示すフローチャートである。なお、ここで示される音楽再生プログラム処理はＣＰＵ４１がメモリ４２のプログラム領域４３ｂに記憶された音楽再生プログラムを読み込むことで実行される。
【００８１】
この音楽再生プログラム処理では、まず、ＯＳからペン入力による操作情報があるか否かが判断される（ステップＤ１１）。ＯＳからペン入力による操作情報がなければ（ステップＤ１１のＮｏ）、リモコンキー２０による入力操作に応じた処理が実行される（ステップＤ１２のＹｅｓ）。
【００８２】
すなわち、例えばリモコンキー２０に設けられた再生／停止キー２０ａが押下された場合には（ステップＤ１３のＹｅｓ）、そのときの動作状態に応じて停止中であれば、本装置に記憶された音楽情報の再生処理が実行され（ステップＤ１４→Ｄ１５）、停止中でなければ停止処理が実行される（ステップＤ１４→Ｄ１６）。なお、前記音楽情報はメモリカードからなる記憶媒体４６あるいは外部端末からネットワークＮを介して本装置に提供されたものであり、前記再生処理により外部出力部４８を介してヘッドホンスピーカ２３から出力される。
【００８３】
また、早送りキー２０ｂが押下された場合には（ステップＤ１７のＹｅｓ）、その早送りキー２０ｂが押下されている間、前記音楽情報が早送り処理される（ステップＤ１８）。なお、早送り処理とは、再生時よりも早い時間で音楽情報を送ることである。
【００８４】
また、早戻しキー２０ｃが押下された場合には（ステップＤ１９のＹｅｓ）、その早戻しキー２０ｃが押下されている間、前記音楽情報が早戻し処理される（ステップＤ２０）。なお、早送り処理とは、再生時よりも早い時間で音楽情報を戻すことである。
【００８５】
一方、前記ステップＤ１１において、ＯＳからペン入力による操作情報があれば、画面上の音楽命令エリアに表示された音楽再生用ボタン３８に対するペン入力操作に応じた処理が実行される。
【００８６】
すなわち、例えば再生／停止アイコン３８ａがペンタッチされた場合には（ステップＤ１３のＹｅｓ）、そのときの動作状態に応じて停止中であれば、本装置に記憶された音楽情報の再生処理が実行され（ステップＤ１４→Ｄ１５）、停止中でなければ停止処理が実行される（ステップＤ１４→Ｄ１６）。
【００８７】
また、早送りアイコン３８ｂがペンタッチされた場合には（ステップＤ１７のＹｅｓ）、その早送りアイコン３８ｂがペンタッチされている間、前記音楽情報が早送り処理される（ステップＤ１８）。また、早戻しアイコン３８ｃがペンタッチされた場合には（ステップＤ１９のＹｅｓ）、その早戻しアイコン３８ｃがペンタッチされている間、前記音楽情報が早戻し処理される（ステップＤ２０）。このように、画面上に音楽再生用ボタン３８が表示されている状態では、リモコンキー２０を用いなくとも画面上でのペン入力操作により音楽の再生操作を行うことができる。
【００８８】
以上のように、本装置では、例えばメール等のアプリケーションで上下＆プッシュキー１６を用いて入力操作を行っているときには、ペンタッチ検出機能がＯＦＦしてペン入力の使用が禁止される。したがって、タッチパネル１２の無駄な電力消費を抑えてバッテリの寿命を延ばすことができる。また、例えば電車の中などで他人に押されるなどして画面を触れてしまった場合でも誤動作することはない。
【００８９】
また、本装置では、例えば音楽を再生する場合に、ペン入力操作を行っているときには、画面上にリモコンキー２０に対応した音楽再生用ボタン３８が表示され、ペン１２ａを用いてリモコンキー２０と同様の音楽再生操作を画面上で行うことができる。したがって、片手で装置を支えながら、もう一方の手でペン１２ａを持って入力操作を行っているような場合に、ペン１２ａを持ち替えてリモコンキー２０を操作するといったような面倒なことをしなくても、ペン入力操作により音楽再生操作を行って簡単に音楽を聴くことができるため、非常に便利である。
【００９０】
なお、前記実施形態では、図５（ａ）のステップＢ１６〜Ｂ１７に示すように、ペン使用中でなく、上下＆プッシュキー１６が使用されている場合にペンタッチ検出機能をＯＦＦする構成としたが、他の実施形態として、ステップＢ１６とＢ１７との間に図５（ｂ）に示すステップＢ１６ａの処理を追加することで、上下＆プッシュキー１６とリモコンキー２０の両方が使用されている場合にペンタッチ検出機能をＯＦＦする構成でも良い。このような構成によれば、ユーザの両手が塞がっていてペン１２ａを持つことができない状況のときにペンタッチ検出機能をＯＦＦすることができる。
【００９１】
また、前記実施形態では、図５（ａ）のステップＢ２０〜Ｂ２２に示すように、ペン１２ａが使用されてい場合に画面上に音楽再生用ボタン３８を表示する構成としたが、他の実施形態として、ステップＢ２１とＢ２２との間に図５（ｃ）に示すステップＢ２１ａの処理を追加することで、ペン１２ａと上下＆プッシュキー１６の両方が使用されている場合に音楽再生用ボタン３８を表示する構成でも良い。このような構成によれば、ユーザの両手が塞がっていてリモコンキー２０を操作できない状況のときにペン入力操作により再生操作を行うことができる。
【００９２】
また、前記実施形態では、メールのアプリケーションを実行している場合での入力操作を例にして説明したが、他のアプリケーションを実行しているときでも前記同様の手法が適用可能である。
【００９３】
また、リモコンキー２０の操作により音楽情報を再生出力する場合を例にして説明したが、本発明は音楽情報に限らず、例えばユーザの音声情報など、本装置に記憶され、リモコンキー２０の操作により再生出力可能な情報であれば、すべてに適用可能である。
【００９４】
さらに、上述した実施形態において記載した手法つまり図４乃至図７に示される各処理はコンピュータに実行させることのできるプログラムとして、例えば磁気ディスク（フロッピーディスク、ハードディスク等）、光ディスク（ＣＤ−ＲＯＭ、ＤＶＤ等）、半導体メモリなどの記憶媒体に書き込んで各種装置に適用したり、通信媒体により伝送して各種装置に適用することも可能である。本装置を実現するコンピュータは、記憶媒体に記録されたプログラムを読み込み、このプログラムによって動作が制御されることにより、上述した処理を実行する。
【００９５】
【発明の効果】
請求項１記載の発明によれば、メールが起動された際にタッチパネルのタッチ検出を有効にし、タッチ検出を有効にした状態で所定時間以上タッチ検出されておらず、かつ、２方向スイッチの操作が検出された場合に、タッチパネルのタッチ検出を停止するようにしたので、メール起動後に、メール操作のためにユーザが、タッチパネルと２方向スイッチのどちらを使うかを適切に判断して、その後の負荷を確実に減らすことができる。
【００９６】
請求項２記載の発明によれば、音楽機能が起動された際にタッチパネル上に音楽機能アイコンを表示してタッチパネルによる音楽機能の操作を有効にするようにしたので、メールと音楽が起動されている状態で、ユーザが音楽機能アイコンにより確実に音楽機能の操作を行うことができる。
【００９７】
このように、複数の入力デバイスを備えている場合に、これらの入力デバイスの操作状況に応じて最適な入力環境を自動設定して無駄な電力消費を抑えると共に入力操作の向上を図ることができる。
【図面の簡単な説明】
【図１】本発明の一実施形態に係る情報処理装置の外観構成を示す図。
【図２】前記情報処理装置の表示画面を示す図であり、図２（ａ）はペン入力操作中の表示画面、同図（ｂ）はキー入力操作中の表示画面、同図（ｃ）はリモコンキーを使用せずに、ペン入力操作により音楽を再生する場合での表示画面を示す図。
【図３】前記情報処理装置の回路構成を示すブロック図。
【図４】前記情報処理装置にて実行される入力処理の動作を説明するためのフローチャート。
【図５】前記情報処理装置にて実行される機能設定処理の動作を説明するためのフローチャート。
【図６】前記情報処理装置にて実行されるメールプログラム処理の動作を説明するためのフローチャート。
【図７】前記情報処理装置にて実行される音楽再生プログラム処理の動作を説明するためのフローチャート。
【符号の説明】
１０…装置本体
１１…表示部
１２…タッチパネル
１２ａ…ペン
１３…カーソルキー
１４…機能選択キー
１５…ＰＥＮ−ＯＮキー
１６…上下＆プッシュキー
２０…リモコンキー
２０ａ…再生／停止キー
２０ｂ…早送りキー
２０ｃ…早戻しキー
２１，２２…コード
２３…ヘッドホンスピーカ
３１…受信メール一覧画面
３２…一覧画面用のスクロールバー
３３…詳細画面
３４…詳細画面用のスクロールバー
３５…メール作成ボタン
３６…スタートボタン
３７…入力モードボタン
３８…音楽再生用ボタン
【図１】
0004505975.tif 000002
【図２】
0004505975.tif 000003
【図３】
0004505975.tif 000004
【図４】
0004505975.tif 000005
【図５】
0004505975.tif 000006
【図６】
0004505975.tif 000007
【図７】
0004505975.tif 000008